(57)【要約】【課題】集塵袋による電動送風機の吸引風の低下を抑え、集塵性能に優れた電気掃除機を提供する。【解決手段】吸引風を発する電動送風機２と、塵埃を捕集する集塵袋６を有し、前記電動送風機２と前記集塵袋６の間に前記集塵袋６と当接する格子状壁９を備え、前記格子状壁９の前記集塵袋６との当接面を凹凸状に形成したもので、電動送風機２の吸引風によって集塵袋６が集塵室４内で広がったとき、格子状壁９の凹凸２０に沿って集塵袋６が広がるため、電動送風機２の吸入口２ａ前方に位置する集塵袋６の表面積が増加し、電動送風機２が吸引する風量の低下を抑えることができる。【選択図】図１
2011083514.tif 000002
【特許請求の範囲】
【請求項１】
吸引風を発する電動送風機と、塵埃を捕集する集塵袋を有し、前記電動送風機と前記集塵袋の間に前記集塵袋と当接する格子状壁を備え、前記格子状壁の前記集塵袋との当接面を凹凸状に形成した電気掃除機。
【請求項２】
格子状壁の、集塵袋の装着／取り外しの方向には凹凸を設けないようにした請求項１に記載の電気掃除機。
【請求項３】
格子状壁と集塵袋の当接面を、鋭い角のない形状とした請求項１又は２に記載の電気掃除機。
【請求項４】
格子状壁を、集塵袋に振動を加えることができるように可動式とした請求項１〜３のいずれか１項に記載の電気掃除機。
【発明の詳細な説明】
【技術分野】
【０００１】
本発明は、電気掃除機に関するものである。
【背景技術】
【０００２】
従来のこの種の電気掃除機は、掃除機本体の後方に、吸引用の電動送風機を内蔵した電動送風機室が設けられ、前記掃除機本体の前方には、集塵袋を内蔵した集塵室が備えられている。また、電動送風機と前記集塵袋の間には、集塵袋の広がりを規制するための格子状壁が集塵袋に対して１平面で当接するように備えられている（例えば、特許文献１参照）。
【先行技術文献】
【特許文献】
【０００３】
【特許文献１】特開２００６−１９２０４５号公報
【発明の概要】
【発明が解決しようとする課題】
【０００４】
しかしながら、上記特許文献１に記載されたような従来の電気掃除機の構成では、格子状壁と集塵袋とが１つの平面でのみ当接する構成となっているため、高集塵フィルターを有した集塵袋を備えたときに、空気を通す有効面積が少く、電動送風機が生み出す吸引力を有効に活用できずに性能を低下させる原因となり、電気掃除機の集塵性能が目減りしたり、塵埃が付着したときにも、吸引力の低下が発生しやすいという課題があった。
【０００５】
本発明は、上記従来の課題を解決するもので、吸引風の低下を抑え、集塵性能に優れた電気掃除機を提供することを目的とする。
【課題を解決するための手段】
【０００６】
前記従来の課題を解決するために、本発明の電気掃除機は、吸引風を発する電動送風機と、塵埃を捕集する集塵袋を有し、前記電動送風機と前記集塵袋の間に前記集塵袋と当接する格子状壁を備え、前記格子状壁の前記集塵袋との当接面を凹凸状に形成したもので、電動送風機の吸引風によって集塵袋が集塵室内で広がったとき、格子状壁の凹凸に沿って集塵袋が広がるため、電動送風機の吸入口前方に位置する集塵袋の表面積が増加し、電動送風機が吸引する風量の低下を抑えることができる。また、塵埃を吸入したときには、まず集塵袋の格子状壁の凹部に位置する領域に優先的に塵埃が付着するため、凸部に位置する領域は目詰まりが発生しづらく、その結果、吸引力の低下を遅らせることができる。
【発明の効果】
【０００７】
本発明の電気掃除機は、電動送風機の吸引風の低下を抑えて電気掃除機の集塵性能を向上させることができる。
【図面の簡単な説明】
【０００８】
【図１】本発明の実施の形態１における電気掃除機の水平断面図
【図２】同電気掃除機の縦断面図
【図３】（ａ）同電気掃除機の縦断面図（集塵蓋が開いた状態）、（ｂ）同電気掃除機の縦断面図（集塵体を取り外す方向にスライドさせた状態）
【発明を実施するための形態】
【０００９】
第１の発明は、吸引風を発する電動送風機と、塵埃を捕集する集塵袋を有し、前記電動
送風機と前記集塵袋の間に前記集塵袋と当接する格子状壁を備え、前記格子状壁の前記集塵袋との当接面を凹凸状に形成したもので、電動送風機の吸引風によって集塵袋が集塵室内で広がったとき、格子状壁の凹凸に沿って集塵袋が広がるため、電動送風機の吸入口前方に位置する集塵袋の表面積が増加し、電動送風機が吸引する風量の低下を抑えることができる。また、塵埃を吸入したときには、まず集塵袋の格子状壁の凹部に位置する領域に優先的に塵埃が付着するため、凸部に位置する領域は目詰まりが発生しづらく、その結果、吸引力の低下を遅らせることができる。
【００１０】
第２の発明は、特に、第１の発明の格子状壁の、集塵袋の装着／取り外しの方向には凹凸を設けないようにしたもので、集塵室に集塵袋を装着するとき、もしくは、集塵袋を集塵室から取り外すときに、格子状壁の凹凸がその操作を妨げることがなく、使い勝手の良さを維持することができる。
【００１１】
第３の発明は、特に、第１または第２の発明の格子状壁と集塵袋の当接面を、鋭い角のない形状としたもので、集塵室に集塵袋を装着するとき、もしくは、集塵袋を集塵室から取り外すときに、集塵袋を集塵室より取り出すことが容易となり、集塵袋の破れを防止するものである。
【００１２】
第４の発明は、特に、第１〜３のいずれか１つの発明の格子状壁を、集塵袋に振動を加えることができるように可動式としたもので、振動した格子状壁が集塵袋を叩くときに、集塵袋に対して広い面積で当接するために、集塵袋の内部に付着した多くの塵埃に振動を加えることができ、集塵袋の内部に付着し堆積した塵埃を効率的に除塵でき、吸引風量の回復効果を高めて集塵性能を向上できる。
【００１３】
以下、本発明の実施の形態について、図面を参照しながら説明する。なお、この実施の形態によって本発明が限定されるものではない。
【００１４】
（実施の形態１）
図１は、本発明の実施の形態１における電気掃除機の水平断面図、図２は、同電気掃除機の縦断面図、図３（ａ）は、同電気掃除機の縦断面図（集塵蓋が開いた状態）、図３（ｂ）は、同電気掃除機の縦断面図（集塵体を取り外す方向にスライドさせた状態）である。
【００１５】
図１〜図３において、本実施の形態における電気掃除機の掃除機本体１は、後方に吸引風を発する電動送風機２を具備した電動送風機室１２が配設されており、電動送風機２の前方は、防振ゴム前３を介して掃除機本体１に固定されている。
【００１６】
掃除機本体１の前方側には、集塵室４が形成され、集塵室４の上方には、この集塵室４を開閉自由に閉鎖する集塵蓋５が設けられており、この集塵室４内には、塵埃を捕集する集塵袋６が着脱自在に具備されている。
【００１７】
集塵室４と電動送風機室１２とを仕切る仕切壁７には連通口８が設けられており、電動送風機２の吸入口２ａと集塵室４とが連通するようになっている。
【００１８】
仕切壁７と集塵袋６との間には、集塵袋６の電気送風機２側への広がりを規制する格子状壁９を備えている。格子状壁９の集塵袋６との当接面は凹凸２０を有する。この格子状壁９は、集塵袋６を叩いて振動を与えるために、以下に述べるような除塵手段が設けられている。
【００１９】
格子状壁６は、加振アーム体１０の作用端１７に着脱自在に係止されており、加振アー
ム体１０は、掃除機本体１に具備された軸１１に軸支され、図２の矢印Ａ方向に回動自在に形成されている。
【００２０】
一方、電動送風機室１２には、電動送風機２に電力を供給する電源コード１３を巻きつけて収納できるコードリール１４を備えたコード巻取り装置１５が配設されており、電源コード１３の引き出し時、もしくは収納動作させることにより、コードリール１３も回動する構成となっている。
【００２１】
コードリール１３には、突起リブ１６が形成されており、加振アーム体１０の軸１１に軸支された側と反対側の伝達端１８が、突起リブ１６に当接するように設けられている。加振アーム体１０の伝達端１８の下部には、バネ１９が設けられており、加振アーム体１０の伝達端１７が、突起リブ１６側に、作用端１７が、図２の矢印Ｂ方向にそれぞれ付勢されている。
【００２２】
以上のように構成された本実施の形態における電気掃除機について、以下その動作、作用を説明する。
【００２３】
電動送風機２が吸引風を発生させたとき、集塵袋６が集塵室４内で膨らむ。このとき、特に、電動送風機２側の集塵袋６は、格子状壁９でその広がりが規制され、格子状壁９の表面の凹凸２０に沿って広がる。この凹凸２０の効果によって、電動送風機２の前方に位置する集塵袋６の表面積が、一平面の場合に比べて増加するため、電動送風機２の吸引風を通しやすくなり、電動送風機２が発生する吸引力の低下を抑えることができる。
【００２４】
また、塵埃を吸引したとき、まず集塵袋６の格子状壁９の凹部２１に位置する領域に優先的に塵埃が付着するため、凸部２２に位置する領域は目詰まりが発生しづらく、集塵袋６の目詰まりによる吸引力の低下を引き延ばすことができる。
【００２５】
図２において、電源コード１３を引き出し時、コードリール１４に形成された突起リブ１６も回動する。突起リブ１６の回動にしたがって、加振アーム体１０の伝達端１８は突起リブ１６に押圧されて、図２の矢印Ｃ方向に回動する。
【００２６】
さらに、コードリール１４が回動すれば、加振アーム体１０の伝達端１８は突起リブ１６の押圧からはずれ、バネ１９の反発力より、図２で示す矢印Ｂ方向に衝撃的に動作する。このとき、加振アーム体１０の作用端１７と連動している格子状壁９にも衝撃的な動作が生じ、格子状壁９に面した集塵袋６を叩き、集塵袋６に付着した塵埃を除塵させることができる。
【００２７】
このとき、格子状壁９の凹凸２０によって、集塵袋６に対して広い面積で除塵するため、集塵袋６の内部に付着したより多くの塵埃に衝撃的な振動を加えることができ、集塵袋６の内部に付着し堆積した塵埃を効率的に除塵でき、吸引風の低下を減少させて集塵性能を向上できる。
【００２８】
集塵袋６に塵埃が満杯となる等、集塵袋６を交換する際には、図３に示すように、集塵蓋５を開いた状態で、集塵袋６を、集塵室４の上方へスライドさせて取り出す。本実施の形態では、格子状壁９の凹凸２０を本体上下方向にのみ形成しているので、集塵袋６の取り出し時に、格子状壁９の凹凸２０が集塵袋６のスライド動作の障壁にはならず、逆にスライド動作の案内を行う。また、格子状壁９において、集塵袋６の当接面は、鋭い角のない形状としたことにより、集塵袋６の交換時に集塵室４における集塵袋６の破れを防止すると共に、スライド動作を円滑に行うことができ、集塵袋６の交換時に使い勝手の良いものとなる。
【産業上の利用可能性】
【００２９】
以上のように、本発明にかかる電気掃除機は、吸引風の低下を抑えることで集塵性能を向上させることができ、家庭、業務用等の電気掃除機に有用である。
【符号の説明】
【００３０】
２  電動送風機
２ａ  吸入口
４  集塵室
６  集塵袋
９  格子状壁
２０  凹凸
２１  凹部
２２  凸部
【図１】
2011083514.tif 000003
【図２】
2011083514.tif 000004
【図３】
2011083514.tif 000005